(57)【特許請求の範囲】
【請求項１】
体液処理装置に対し装着可能なパネル回路であって、
体液処理装置の液体回路の少なくとも一部を構成するチューブと、
前記チューブがパネル平面に沿って配設されるパネルと、を有し、
前記パネルは、
前記パネル平面において前記チューブを垂直方向に重ねて配設するチューブ重複部と、
前記チューブ重複部において前記チューブを重ねて配設するために、所定のチューブの高さを前記パネル平面に沿って次第に変動させる傾斜部と、を有する、パネル回路。
【請求項２】
前記パネルは、基準平面を有し、前記所定のチューブを前記基準平面にあるチューブの上に重ねて配設するための傾斜部、又は前記所定のチューブを前記基準平面にあるチューブの下に重ねて配設するための傾斜部の少なくともいずれかを有する、請求項１に記載のパネル回路。
【請求項３】
前記パネルは、前記チューブ重複部において重ねられたチューブの一方の側面から最上部のチューブの上面に回り込んで、前記最上部のチューブを上から押さえて前記重ねられたチューブを固定する固定部材を有する、請求項１又は２に記載のパネル回路。
【請求項４】
前記パネルは、前記チューブを前記パネル平面に沿ってガイドするチューブガイドを有し、
前記チューブガイドは、ｎ本（ｎは自然数）のチューブが重ねられる部分において、（チューブの外径×ｎ）−（チューブの内径／２）以上の高さを有する、請求項１〜３のいずれかに記載のパネル回路。
【発明の詳細な説明】
【技術分野】
【０００１】
本発明は、体液処理装置に装着可能なパネル回路に関する。
【背景技術】
【０００２】
透析治療や血漿交換治療で行われる血液処理は、通常血液浄化装置を用いて行われている。この血液浄化装置は、液体回路を利用して血液浄化器に血液を循環させたり、血液に補液を補充したりする機能を有している。この液体回路の一部は、血液浄化装置に対し装着可能なパネル回路に設けられている（特許文献１参照）。このパネル回路は、液体回路の流路を構成するチューブや、そのチューブが固定されるパネルを有している。そして、血液浄化装置を使用する際には、医療従事者が、予め別途用意されているパネル回路を血液浄化装置に装着する。この際パネルを血液浄化装置の所定の位置に固定し、パネル上のチューブを血液浄化装置の各種機器に接続している。このパネル回路により、医療従事者のチューブの交換作業等が簡単になる。
【先行技術文献】
【特許文献】
【０００３】
【特許文献１】特開２０１５−７３８４７号公報
【発明の概要】
【発明が解決しようとする課題】
【０００４】
ところで、上記血液浄化装置は、単体でより多くの種類の血液処理に対応できることが望ましい。そのため、パネル回路においては、パネルに、より多くの系統のチューブを様々な組み合わせで配設できるとよい。その一方で、血液浄化装置においてパネルを取り付けるスペースは限られているため、単にパネルを大きくしチューブの配設面積を広げることはできない。
【０００５】
そこで、本発明者らは、パネル上においてチューブを重ねて配設することを考えている。しかしながら、チューブを重ねて配設すると、通常は、その重なり部分の近辺においてチューブが急に上下に曲げられるため、キンク（kink）（よじれ）が生じてチューブが閉塞する可能性が考えられる。この場合、所定量の液体がチューブを流れないため、血液処理が適切に行われず、例えば血液浄化装置が停止してしまう。
【０００６】
本出願はかかる点に鑑みてなされたものであり、血液浄化装置などの体液処理装置において、キンクが生じないようにチューブを重ねて配設可能なパネル回路を提供することをその目的とする。
【課題を解決するための手段】
【０００７】
本発明者らは、パネルにチューブの高さを次第に変える傾斜部を設けることにより、上記課題を解決できることを見出し、本発明を完成するに至った。
即ち、本発明の態様は以下を含む。
（１）体液処理装置に対し装着可能なパネル回路であって、体液処理装置の液体回路の少なくとも一部を構成するチューブと、前記チューブがパネル平面に沿って配設されるパネルと、を有し、前記パネルは、前記パネル平面において前記チューブを垂直方向に重ねて配設するチューブ重複部と、前記チューブ重複部において前記チューブを重ねて配設するために、所定のチューブの高さを前記パネル平面に沿って次第に変動させる傾斜部と、を有する、パネル装置。
（２）前記パネルは、基準平面を有し、前記所定のチューブを前記基準平面にあるチューブの上に重ねて配設するための傾斜部、又は前記所定のチューブを前記基準平面にあるチューブの下に重ねて配設するための傾斜部の少なくともいずれかを有する、（１）に記載のパネル回路。
（３）前記パネルは、前記チューブ重複部において重ねられたチューブの一方の側面から最上部のチューブの上面に回り込んで、前記最上部のチューブを上から押さえて前記重ねられたチューブを固定する固定部材を有する、（１）又は（２）に記載のパネル回路。
（４）前記パネルは、前記チューブを前記パネル平面に沿ってガイドするチューブガイドを有し、前記チューブガイドは、ｎ本（ｎは自然数）のチューブが重ねられる部分において、（チューブの外径×ｎ）−（チューブの内径／２）以上の高さを有する、（１）〜（３）のいずれかに記載のパネル回路。
【発明の効果】
【０００８】
本発明によれば、体液処理装置において、キンクが生じないようにチューブを重ねて配設可能なパネル回路を提供することができる。
【図面の簡単な説明】
【０００９】
【図１】血液浄化装置の構成の概略を示す説明図である。
【図２】血液浄化装置の液体回路の構成の概略を示す説明図である。
【図３】パネル回路の構成例を示す説明図である。
【図４】チューブ重複部の一例を示す説明図である。
【図５】図４のチューブ重複部に１本のチューブを固定した例を示す説明図である。
【図６】図４のチューブ重複部に２本のチューブを固定した例を示す説明図である。
【図７】チューブ重複部の傾斜部を示す断面図である。
【図８】チューブ重複部の固定部材の構成を示す断面図である。
【図９】チューブ重複部のチューブガイドの構成を示す断面図である。
【図１０】チューブ重複部の他の例を示す説明図である。
【図１１】図１０のチューブ重複部に１本のチューブを固定した例を示す説明図である。
【図１２】図１０のチューブ重複部に２本のチューブを固定した例を示す説明図である。
【図１３】チューブ重複部の傾斜部の構成を示す断面図である。
【図１４】血液浄化装置のポンプにパネル回路のチューブを取り付ける例を示す説明図である。
【発明を実施するための形態】
【００１０】
以下、図面を参照して、本発明の好ましい実施の形態の一例について説明する。なお、図面の上下左右等の位置関係は、特に断らない限り、図面に示す位置関係に基づくものとする。図面の寸法比率は、図示の比率に限定されるものではない。さらに、以下の実施の形態は、本発明を説明するための例示であり、本発明をその実施の形態のみに限定する趣旨ではない。また、本発明は、その要旨を逸脱しない限り、さまざまな変形が可能である。
【００１１】
＜血液浄化装置＞
図１は、本実施の形態に係るパネル回路１が装着される体液処理装置としての血液浄化装置２の構成の概略を示す説明図である。血液浄化装置２は、例えば装置本体部１０、操作パネル部１１、台車部１２、ポール部１３等を有している。
【００１２】
装置本体部１０は、血液処理を実行するために必要な各種機器、装置、部材が内蔵或いは取り付け可能に構成されている。例えば装置本体部１０には、後述の液体回路４０のチューブ１５０を開閉する各種クランプ群２０、液体回路４０の液体を圧送するポンプ群２１、液体回路４０の圧力を検出する圧力センサ、血液の分離器となる膜モジュール等が、内蔵或いは取り付け可能になっている。装置本体部１０の側面には、扉３０が設けられており、扉３０を開けて露出した部分に、本実施の形態に係るパネル回路１が装着可能になっている。扉３０を開けて露出した部分には、パネル回路１の後述する加温部１７０を加温するヒータ３１が設けられている。
【００１３】
操作パネル部１１は、例えばタッチパネルになっており、血液処理の各種設定を入力したり、血液処理の運転状態を表示できるようになっている。ポール部１３には、血液処理で用いられる補液バッグ１４０等の液体バッグを吊下げることができる。
【００１４】
＜液体回路＞
血液浄化装置２は、血液処理を行うための液体回路を取り付けることが可能である。図２は、液体回路４０の一例を示す説明図である。液体回路４０は、例えば二重濾過血漿交換治療を行うための回路例であり、第１の分離器５０と、血液回路５１と、第２の分離器５２と、血漿成分分離回路５３と、補液回路５４等を有している。
【００１５】
第１の分離器５０は、例えば中空糸膜などの分離膜を有し、血液から所定成分、例えば血漿成分を分離できる。
【００１６】
血液回路５１は、例えば採血部６０と第１の分離器５０とを接続する採血回路７０と、第１の分離器５０と返血部６１とを接続する返血回路７１を備えている。採血回路７０は、第１の分離器５０の分離膜の一次側の入口に接続され、返血回路７１は、第１の分離器５０の分離膜の一次側の出口に接続されている。
【００１７】
採血回路７０には、例えば圧送ポンプ８０と、ドリップチャンバ８１と、圧力センサ８２と、採血回路７０に抗凝固剤を供給する抗凝固剤路８３が設けられている。返血回路７１には、ドリップチャンバ９０と、圧力センサ９１と、クランプ９２が設けられている。
【００１８】
第１の分離器５０の分離膜の二次側には、血漿成分分離回路５３と、圧力センサ９５に通じる分岐路９６が接続されている。
【００１９】
第２の分離器５２は、例えば中空糸膜などの分離膜を有し、血漿成分から高分子量成分を除去できる。
【００２０】
血漿成分分離回路５３は、第１の分離器５０の分離膜の二次側と第２の分離器５２の分離膜の一次側の入口とを接続する往回路１００と、第２の分離器５２の分離膜の二次側と返血回路７１とを接続する復回路１０１と、第２の分離器５２の分離膜の一次側の出口と排液部を接続する排液回路１０２を有している。
【００２１】
往回路１００には、例えば漏血検知器１１０と、第１の圧送ポンプ１１１と、ドリップチャンバ１１２と、圧力センサ１１３が設けられている。第１の圧送ポンプ１１１とドリップチャンバ１１２との間には、他の血液処理において使用される分岐路１１４が接続されている。また、圧力センサ１１３は、ドリップチャンバ１１２に接続された分岐路１１５に設けられている。往回路１００のドリップチャンバ１１２の下流側は、一部がジグザグ状になっており、温度調整部１１６となっている。なお、本実施の形態において、往回路１００の分岐路１１４、１１５以外の流路を主流路１００ａとする。
【００２２】
復回路１０１には、クランプ１２０、１２１が設けられている。復回路１０１は、第１回路１０１ａ及び第２回路１０１ｂによって、第２の分離器５２の分離膜の二次側の二か所に接続されており、第１回路１０１ａと第２回路１０１ｂが合流部１０１ｃで合流して、第３回路１０１ｄによって返血回路７１に接続されている。クランプ１２０、１２１は、第１回路１０１ａに設けられている。第３回路１０１ｄは、一部がジグザグ状になっており、温度調整部１２２を有している。第３回路１０１ｄは、返血回路７１のドリップチャンバ９０の上流側に接続されている。
【００２３】
排液回路１０２には、第２の圧送ポンプ１３０とクランプ１３１が設けられている。
【００２４】
補液回路５４は、補液バッグ１４０から、復回路１０１の第１回路１０１ａのクランプ１２０とクランプ１２１との間に接続されている。補液回路５４には、第３の圧送ポンプ１４１が設けられている。なお、本実施の形態において圧送ポンプ１１１、１３０、１４１は、ポンプ群２１を構成している。クランプ１２０、１２１、１３１は、クランプ群２０を構成している。
【００２５】
上記液体回路４０では、例えば二重濾過血漿交換治療のための血液処理が行われる。例えば採血回路７０において、患者の血液が第１の分離器５０に送られ、血液から血漿成分が分離される。分離された血漿成分は、血漿成分分離回路５３の往回路１００を通じて第２の分離器５２に送られ、血漿成分からコレステロールなどの高分子量成分が除去される。除去された高分子量成分は、排液回路１０２を通じて排液される。高分子量成分が除去された血漿成分は、復回路１０１を通じて返血回路７１に戻され、患者に戻される。また、補液バッグ１４０の補液が、補液回路５４を通じて復回路１０１に適宜供給され、復回路１０１を通じて返血回路７１に供給されて、患者の血液に補充される。
【００２６】
＜パネル回路＞
図３に示すようにパネル回路１は、液体回路４０の流路を構成する軟質性のチューブ１５０と、当該チューブ１５０を配設する硬質のパネル１５１を有している。
【００２７】
チューブ１５０は、例えば透明のポリ塩化ビニル等で形成されている。
【００２８】
パネル１５１は、硬質の樹脂等で形成されている。パネル１５１は、例えば略方形の薄い板状に形成され、パネル平面に沿ってチューブ１５０が配設されている。パネル１５１は、例えば中央の方形の加温部１７０と、加温部１７０の周囲に位置するフレーム部１７１を有している。
【００２９】
加温部１７０には、ジグザグ状の流路が形成され、この流路が、上記往回路１００の温度調整部１１６と、復回路１０１の温度調整部１２２を構成している。すなわち、往回路１００及び復回路１０１の流路の一部はパネル１５１に形成された流路によって構成され、それ以外の部分はチューブ１５０によって構成されている。
【００３０】
フレーム部１７１は、例えば樹脂等により一体成型されている。フレーム部１７１には、各種回路のチューブ、例えば血漿成分分離回路５３、補液回路５４のチューブ１５０が配設されている。フレーム部１７１は、パネル平面においてチューブ１５０が垂直方向に重ねて配設されるチューブ重複部１６０と、チューブ重複部１６０においてチューブ１５０を重ねて配設するために、所定のチューブの高さをパネル平面に沿って次第に変動させる傾斜部１６１と、チューブ１５０を固定する固定部材１６２と、チューブ１５０をパネル平面に沿ってガイドするチューブガイド１６３を有している。
【００３１】
チューブ重複部１６０は、複数個所、例えば５か所に設けられている。第１のチューブ重複部１６０ａは、往回路１０１の主流路１００ａのチューブ１５０と分岐路１１５のチューブ１５０を平行に重ねて配設するものであり、第２のチューブ重複部１６０ｂは、排液回路１０２のチューブ１５０と往回路１００の主流路１００ａのチューブ１５０を交差させて重ねて配設するものである。第３のチューブ重複部１６０ｃは、排液回路１０２のチューブ１５０と往回路１００の分岐路１１４のチューブ１５０を交差させて重ねて配設するものであり、第４のチューブ重複部１６０ｄは、復回路１０１の第１流路１０１ａと補液回路５４のチューブ１５０を平行に重ねて配設するものである。第５のチューブ重複部１６０ｅは、復回路１０１の第１流路１０１ａのチューブ１５０と、補液回路５４のチューブ１５０及び復回路１０１の第３流路１０１ｄのチューブ１５０を交差させて重ねて配設するものである。
【００３２】
例えば図４〜図６に示すように第１のチューブ重複部１６０ａにおいて、フレーム部１７１は、傾斜部１６１ａと、固定部材１６２ａ、１６２ｂ、１６２ｃ、１６２ｄと、チューブガイド１６３ａ、１６３ｂ、１６３ｃ、１６３ｄ、１６３ｅを有している。なお、図４は、チューブが固定されていない状態を示し、図５は、１本のチューブが固定されている状態を示し、図６は、２本のチューブが固定されている状態を示す。
【００３３】
傾斜部１６１ａは、例えば図７に示すようにフレーム部１７１の基準平面Ａからおよそチューブ１個分次第に上がるように形成されている。
【００３４】
固定部材１６２ａは、図８に示すように重ねられた２本のチューブ１５０の一方の側面から最上部のチューブ１５０の上面に回り込んで、最上部のチューブ１５０を上から押さえて２本のチューブ１５０を固定する。図４〜図６に示すように他の固定部材１６２ｂ、１６２ｃ、１６２ｄは、チューブ重複部１６０ａにおいて重ねられる前、或いは後のチューブ１５０の一方の側面から当該チューブ１５０の上面に回り込んで、チューブ１５０を上から押さえて固定する。固定部材１６２ａ〜１６２ｄ同士の間隔は、例えば８０ｍｍ以下、好ましくは１０ｍｍ以上５０ｍｍ以下、さらに好ましくは２０ｍｍ以上４０ｍｍ以下である。
【００３５】
チューブガイド１６３ａ〜１６３ｅは、板状に形成され、チューブ１５０の側面に立設し、チューブ１５０をパネル平面に沿ってガイドする。
【００３６】
チューブガイド１６３ａは、図９に示すように２本のチューブ１５０が重なる位置に形成され、重なった２本のチューブ１５０よりも高い高さを有している。なお、チューブガイド１６３ａは、２本のチューブが重ねられる部分において、（チューブの外径（Ｄ１）×２）−（チューブの内径（Ｄ２）／２）以上の高さを有していればよい。
【００３７】
図４〜図６に示すようにチューブガイド１６３ｃは、傾斜部１６１ａのある位置に形成され、傾斜部１６１ａ上のチューブ１５０と同程度の高さを有している。他のチューブガイド１６３ｂ、１６３ｄ、１６３ｅは、チューブが重なった位置、チューブが重なる前等の位置に形成され、例えばチューブ１５０と同程度の高さを有している。
【００３８】
例えば図１０〜図１２に示すように第２のチューブ重複部１６０ｂにおいてフレーム部１７１は、傾斜部１６１ｂと、固定部材１６２ｅ、１６２ｆ、１６２ｇと、チューブガイド１６３ｆ、１６３ｇ、１６３ｈを有している。なお、図１０は、チューブが固定されていない状態を示し、図１１は、１本のチューブが固定されている状態を示し、図１２は、２本のチューブが固定されている状態を示す。
【００３９】
傾斜部１６１ｂは、例えば図１３に示すようにフレーム部１７１の基準平面Ａからおよそチューブ一個分次第に下がるように形成されている。
【００４０】
図１０〜図１２に示すように固定部材１６２ｅ、１６２ｆ、１６２ｇは、第２のチューブ重複部１６０ｂにおいて重ねられる前、或いは後のチューブ１５０の一方の側面から当該チューブ１５０の上面に回り込んで、チューブ１５０を上から押さえて固定する。
【００４１】
チューブガイド１６３ｆは、例えばチューブが交差する直前に形成され、その交差直前のチューブ１５０と同程度の高さを有している。他のチューブガイド１６３ｇ、１６３ｈは、例えばチューブが交差する前に形成され、チューブ１５０と同程度の高さを有している。図１０〜図１２に示すように傾斜部１６１ｂを下がった後は、溝１６４になっており、溝１６４には、チューブ１５０を保持する凹凸部１６５が形成されている。
【００４２】
第３〜第５のチューブ重複部１６０ｃ〜１６０ｅは、上記第１、第２のチューブ重複部１６０ａ、１６０ｂと同様の構成を有している。すなわち図３に示すように第３のチューブ重複部１６０ｃ及び第５のチューブ重複部１６０ｅにおいて、フレーム部７１は、第２のチューブ重複部１６０ｂと同様にパネル基準面Ａより下がる傾斜部１６１と、チューブが交差する前、或いは後に設けられた固定部材１６２を有している。
【００４３】
第４のチューブ重複部１６０ｄにおいて、フレーム部７１は、パネル基準面Ａより下がる傾斜部１６１を有している。また、第４のチューブ重複部１６０ｄにおいて、平行に重なったチューブ１５０を上から押さえる固定部材１６２と、平行に重なったチューブ１５０と同程度の高さを有するチューブガイド１６３を有している。
【００４４】
＜パネル回路の組み立て＞
パネル回路１を組み立てる際には、パネル１５１にチューブ１５０を配設する。例えば図５に示したように１本目のチューブ１５０をガイドレール１６３ａ、１６３ｂ、１６３ｄ、１６３ｅに沿って取り付け固定部材１６２ｂ、１６２ｃで固定し、図６に示すようにその上に２本目のチューブ１５０を平行に取り付ける。２本目のチューブ１５０は、傾斜部１６１ａでパネル基準面Ａに対して上がり、１本目のチューブ１５０の上に重なる。重なった２本のチューブ１５０は、固定部材１６２ａで上から押さえられ固定される。
【００４５】
また、例えば図１１に示すように１本目のチューブ１５０は固定部材１６２ｇで固定し、傾斜部１６１ｂでパネル基準面Ａに対して下がり凹凸部１６５で保持される。２本目のチューブ１５０は図１２に示すようにパネル基準面Ａ上でガイドレール１６３ｆ、１６３ｇ、１６３ｈに沿って取り付け、１本目のチューブ１５０と交差し、固定部材１６２ｅ、１６２ｆで固定される。
【００４６】
＜パネル回路の取り付け＞
パネル回路１を血液浄化装置２に取り付ける際には、図１に示すように装置本体部１０の扉３０を開けて、露出面にパネル１５１を装着する。この際、図１４に示すようにポンプ群２１の各圧送ポンプ１１１、１３０、１４１に往回路１００、排液回路１０２、補液回路５４のチューブ１５０がそれぞれ取り付けられる。また、図２に示す各チューブ１５０の端部が第１の分離器５０、第２の分離器５２、補液バッグ１４０、返血回路７１、圧力センサ１１３等に接続される。またチューブ１５０がクランプ群２０の各クランプ１２０、１２１、１３１にはめ込まれる。
【００４７】
本実施の形態によれば、パネル回路１のパネル１５１が、パネル平面においてチューブ１５０を垂直方向に重ねて配設するチューブ重複部１６０と、チューブ重複部１６０においてチューブ１５０を重ねて配設するために、所定のチューブ１５０の高さをパネル平面に沿って次第に変動させる傾斜部１６１を有している。このため、パネル１５１にチューブ１５０を重ねて配設しても、チューブ１５０が折れ曲がることがなくキンクが生じるのを防止できる。
【００４８】
パネル１５１は、基準平面Ａを有し、所定のチューブ１５０を基準平面Ａにあるチューブ１５０の上に重ねて配設するための傾斜部１６１ａ、又は所定のチューブ１５０を基準平面Ａにあるチューブ１５０の下に重ねて配設するための傾斜部１６１ｂを有するので、チューブ１５０を重ねてもパネル回路１全体の厚みを最小限に抑えることができる。なお、基準平面Ａは、パネル１５１において同一高さの平面総面積が最も広くなる平面であってもよい。
【００４９】
パネル１５１は、チューブ重複部１６０において重ねられたチューブ１５０の一方の側面から最上部のチューブ１５０の上面に回り込んで、最上部のチューブ１５０を上から押さえて、重ねられたチューブを固定する固定部材１６２を有している。これにより、重なったチューブ１５０をしっかり固定できる。また、チューブ１５０が重なった部分はパネル１５１から厚み方向に突出するが、その部分のチューブ１５０を上から押さえるので、例えばパネル回路１の輸送中に物がパネル回路１に強く押しつけられたような場合でも、固定部材１６２によりチューブ１５０が保護され、チューブ１５０がつぶれて変形等することを抑制できる。この結果、使用前にチューブ１５０が劣化することを抑制できる。
【００５０】
パネル１５１は、チューブ１５０をパネル平面に沿ってガイドするチューブガイド１６３を有し、チューブガイド１６３は、ｎ本（ｎは自然数）のチューブが重ねられる部分において、（チューブの外径×ｎ）−（チューブの内径／２）以上の高さを有している（本実施の形態では、ｎ＝２）。この結果、例えばパネル回路１の輸送中に物がパネル回路１に強く押しつけられたような場合でも、チューブガイド１６３によりチューブ１５０が保護され、チューブ１５０がつぶれて変形することを抑制できる。この結果、使用前にチューブ１５０が劣化することを抑制できる。
【００５１】
以上、添付図面を参照しながら本発明の好適な実施の形態について説明したが、本発明はかかる例に限定されない。当業者であれば、特許請求の範囲に記載された思想の範疇内において、各種の変更例または修正例に想到し得ることは明らかであり、それらについても当然に本発明の技術的範囲に属するものと了解される。
【００５２】
例えば以上の実施の形態においてパネル１５１の構成、形状は、他のものであってもよい。パネル１５１におけるチューブ１５０の配置は、他のものであってもよい。例えばチューブ重複部１６０は５か所であったが、これに限られない。チューブ重複部１６０の傾斜部１６１、固定部材１６２、ガイドレール１６３の数や配置もこれに限られない。また、パネル回路１が装着される血液浄化装置２は、血漿交換療法を行うものに限られず、白血球除去療法、持続緩徐式血液濾過療法、透析治療などの他の血液処理を行うものであってもよい。さらに、本発明は、血液浄化装置２に限られず、他の体液、例えば腹水や胸水の体腔液を処理する体液処理装置のパネル回路に適用してもよい。
【産業上の利用可能性】
【００５３】
本発明は、体液処理装置において、キンクが生じないようにチューブを重ねて配設可能なパネル回路を提供する際に有用である。
【符号の説明】
【００５４】
１  パネル回路
２  血液浄化装置
１５０  チューブ
１５１  パネル
１６０  チューブ重複部
１６１  傾斜部
１６２  固定部材
１６３  チューブガイド
【図１】
0006563747.tif 000002
【図２】
0006563747.tif 000003
【図３】
0006563747.tif 000004
【図４】
0006563747.tif 000005
【図５】
0006563747.tif 000006
【図６】
0006563747.tif 000007
【図７】
0006563747.tif 000008
【図８】
0006563747.tif 000009
【図９】
0006563747.tif 000010
【図１０】
0006563747.tif 000011
【図１１】
0006563747.tif 000012
【図１２】
0006563747.tif 000013
【図１３】
0006563747.tif 000014
【図１４】
0006563747.tif 000015